(57)【要約】      （修正有）【課題】放熱効果が大きい発光ダイオード照明装置を提供する。【解決手段】導体２２を備える積載台２の該導体上面に発光ダイオード１を設置する。該発光ダイオードは、絶縁片を介して配置された正極導電片１２及び負極導電片１３を備え、該導体２２と下方の負極導電片に接触し、ボルト２２１を経て金属板３に電気的に接続され、正極導電片１２は該積載台上面に設置した外カバー４に電気的に接続する。金属板３は、アース側として複数の発光ダイオードを設置することができる。【選択図】図３
0003131400.tif 000002
【実用新案登録請求の範囲】
【請求項１】
積載台、発光ダイオード、金属板、外カバーからなり
該積載台は、中央に備えた導体周囲を絶縁体で囲み、
該発光ダイオードは、上方に位置する正極導電片と下方に位置する負極導電片を備え、該正極導電片と該負極導電片間には絶縁片を設置し、該発光ダイオードは該積載台の導体上面に設置して該負極導電片を導体に接触させ、
該金属板は、その上に該積載台を結合して該導体と接続し、
該外カバーは、該積載台上方に設置して該正極導電片は接触すると共に、通孔を備えて、該発光ダイオードは該通孔からカバー内に突出して配置されることを特徴とする発光ダイオード照明装置。
【請求項２】
前記導体の下端にはボルトを設置し、かつ該金属板は該ボルトに対応するネジ孔を設けたことを特徴とする請求項１記載の発光ダイオード照明装置。
【請求項３】
前記外カバーは、周辺を包囲する側壁を備え、該外カバーの上端は開放されると共に下端には底板を備え、上記通穴は該底板に設けられることを特徴とする請求項１或いは２記載の発光ダイオード照明装置。
【請求項４】
前記外カバーの通孔下方周辺にはフランジを形成し、該フランジとが正極導電片は接触することを特徴とする請求項１記載の発光ダイオード照明装置。
【考案の詳細な説明】
【技術分野】
【０００１】
本考案は、発光ダイオードを照明の光源とする構造に関する。
【背景技術】
【０００２】
発光ダイオード（LED）は、体積が小さく、発熱量が少なく、消費電力が低く、使用寿命が長いという特性を備えている。これに加え、近年の製造技術の進歩でその発光輝度は向上を続け、しかも製造コストも徐々に低下している。このため、将来はLED光源が現在主流の白熱灯、蛍光灯、さらには節電ランプに取って代わり、照明設備において最も重要な発光部品となると考えられる。現在でも既に交通標識、信号灯、広告看板、液晶ディスプレーのバックライト光源にLEDが採用されている。
【特許文献１】特開２００５−３３１５８号公報
【考案の開示】
【考案が解決しようとする課題】
【０００３】
公知構造には以下の欠点があった。
すなわち公知のLEDを光源とする設計は、LEDを伝統的な回路板或いはアルミ基板上に溶接するが、LEDを直接プレート上に溶接するため、放熱が容易でなく過熱による損壊が起こり易いという問題があった。
本考案は上記構造の問題点を解決した発光ダイオード照明装置を提供するものである。
【課題を解決するための手段】
【０００４】
上記課題を解決するため、本考案は下記の発光ダイオード照明装置を提供する。
発光ダイオード照明装置は、サンドイッチ状の電極端子導電片を備える発光ダイオードにおいて、該サンドイッチ状の導電片は上方に位置する正極導電片と下方に位置する負極導電片からなり、かつ該正、負極導電片の間には絶縁片を設置し、
さらに、該発光ダイオードを積載台上に設置し、該発光ダイオードの負極導電片は該積載台上の導体に接触し、該導体は金属板に接続し、該積載台上方には外カバーを設置し、これにより該外カバーは該正極導電片に接触し、該金属板上には複数の発光ダイオードを設置可能で、これによりアース側となって多数の光源構造を形成し、
またそれは、該外カバーと該金属板を放熱部品として利用し、しかも該金属板はさらに放熱フィンを接続して放熱効果を向上させることができる。
すなわち、導体を備えた積載台を提供し、該導体上面には発光ダイオードを設置し、該発光ダイオードは上方に位置する正極導電片と下方に位置する負極導電片を備え、かつ、負極導電片間には絶縁を形成し、これにより該負極導電片は該導体に接触し、該積載台上面に外カバーを設置し、該外カバー下端は該正極導電片に接触し、該発光ダイオードは該外カバーに設置される通孔から突出して配置され、該積載台下方に金属板を結合し、該金属板と該導体を接触する発光ダイオード照明装置を提供する。
【考案の効果】
【０００５】
上記のように、本考案の発光ダイオードを光源とする照明装置は良好な照明機能を備えると共に優れた放熱効果をも兼ね備えている。
【考案を実施するための最良の形態】
【０００６】
当該技術領域の技術者が本明細書の記載に基づき実施することができるよう、以下に図と部品の符号により、本考案の実施態様について詳細に説明する。
図１、２に示すように、本考案の最適実施例は発光ダイオード１、積載台２、金属板３、外カバー４を含む。
該発光ダイオード１は、合成樹脂により内部のチップを封止した封止ユニット１１を備える。該封止ユニット１１下方には、上方に位置する正極導電片１２と下方に位置する負極導電片１３を結合し、かつ該正極導電片１２と該負極導電片１３の間には絶縁片１４を介挿して、サンドイッチ形態の導電片構造を形成する。
該積載台２の最適実施例は、筒状の絶縁体２１である。該絶縁体２１内には導体２２を設置し、該導体２２の上表面は該絶縁体２１の上端面より低く、これにより該絶縁体２１上端は陥没空間を形成する。該導体２２の底面にはボルト２２１を一体に設置する。
該金属板３は、導電性で、該積載台３の基板の設置に用いる。その上面には複数のネジ孔３１を設置可能で、該ネジ孔３１と該ボルト２２１は相対応し、該ボルト２２１は該ネジ孔３１に螺入する。
該外カバー４は、周囲を包囲する側壁を備え、該外カバー４の上端は開放され、下端には底板を備える。該底板には通孔４１を設けて、該通孔１４下方の周囲には下方へと延伸するフランジ４２を形成する。
【０００７】
次に図３に示すように、本考案の上記部品を組合せ後の構造は、該発光ダイオード１を該積載台２上方の内空間に設置し、これにより該負極導電片１３は該導体２２に接触する。さらに、該外カバー４のフランジ４２を該積載台２の内空間に嵌入し、該正極導電片１２に接触させ、該外カバー４と該積載台２を固定する。その固定方式は接着剤を用い接着する方式、或いは溶接方式により固定することができる。該積載台２下方のボルト２２１は該金属板３のネジ孔３１に螺入し、こうして該負極導電片１３は該導体２２と該ボルト２２１を通して該金属板３と導通する。これにより、該金属板３はアース側となり、該金属板３は複数の光源を設置する基板とすることができる。
【０００８】
本考案は上記構造により、該外カバー４と該金属板３を介して発光ダイオードが発する熱を伝導し、放熱することもできる。さらには、該金属板３に放熱フィンを接着し、全体的放熱効果をさらに向上させることができる。
図４は本考案の複数のユニットを金属板に設置し、照明装置とする実施例を示す。こうして街路灯或いは任意の適当な光源とすることができる。
上記は本考案の最適実施例を開示したまでで、これらは決して本考案をある形式に制限するものではない。よって本考案の同様の精神の下で各種の変動や潤色を加えることができ、それらも本考案の保護範囲に含まれるものとする。
【図面の簡単な説明】
【０００９】
【図１】本考案照明装置の主要部品組合せ関係の立体分解図である。
【図２】本考案照明装置の主要部品組合せ関係の平面断面分解図である。
【図３】図２の部品組合せ後の構造の平面断面図である。
【図４】本考案を複数のユニットにより金属板に設置し照明装置とする実施例の立体図である。
【符号の説明】
【００１０】
１  発光ダイオード
１１  封止ユニット
１２  正極導電片
１３  負極導電片
１４  絶縁片
２  積載台
２１  絶縁体
２２  導体
２２１  ボルト
３  金属板
３１  ネジ孔
４  外カバー
４１  通孔
４２  フランジ
【図１】
0003131400.tif 000003
【図２】
0003131400.tif 000004
【図３】
0003131400.tif 000005
【図４】
0003131400.tif 000006